(57)【要約】  本願は、サービスフォールバック方法及び装置を提供する。この方法は、完了したサービスに対するサービスフォールバック要求を受信した際、サービスに対応する、記憶されたフォールバック参照情報を読み取るステップと、フォールバック参照情報に基づき、対応するサービスフォールバック情報を計算するステップと、計算したサービスフォールバック情報に基づき、サービスに対するサービスフォールバックを完了するステップとを含む。本願によれば、記憶されたフォールバック参照情報に基づき、精度よくサービスフォールバックを実行できる。
2019501471.tif 000002
【特許請求の範囲】
【請求項１】
サービスフォールバック方法であって：
完了したサービスに対するサービスフォールバック要求を受信した際、前記サービスに対応する、記憶されたフォールバック参照情報を読み取るステップと；
前記フォールバック参照情報に基づき、対応するサービスフォールバック情報を計算するステップと；
前記計算したサービスフォールバック情報に基づき、前記サービスに対するサービスフォールバックを完了するステップと；を備える、
サービスフォールバック方法。
【請求項２】
前記サービスに対するサービス要求を受信した際、前記サービス要求に含まれる前記フォールバック参照情報を読み取るステップと；
前記フォールバック参照情報と前記サービスとをローカルに関連付け、前記フォールバック参照情報をローカルに記憶するステップと；を更に備える、
請求項１に記載のサービスフォールバック方法。
【請求項３】
前記サービスは国際取引サービスを備え、前記サービスフォールバックは国際取引返金を備え、前記フォールバック参照情報は国際取引に対する為替レート情報を備え、前記サービスフォールバック情報は前記国際取引返金における返金額を備える、
請求項２に記載のサービスフォールバック方法。
【請求項４】
前記サービスが国際取引サービスである場合、前記サービスフォールバックは国際取引返金であり、前記フォールバック参照情報は前記国際取引に対する前記為替レート情報であり、前記サービスフォールバック情報は前記国際取引返金における前記返金額であり、
前記フォールバック参照情報に基づき、対応するサービスフォールバック情報を計算する前記ステップは：
ユーザによって選択される返金方法が外貨金額ベースの返金である場合、前記国際取引に対する前記為替レート情報に基づき外貨の対象金額を対応する自国通貨の金額に換算するステップ；又は
ユーザによって選択される返金方法が自国通貨金額ベースの返金である場合、前記国際取引に対する前記為替レート情報に基づき自国通貨の対象金額を対応する外貨の金額に換算するステップ；を備え、
前記対象金額は前記国際取引において実際に支払われる金額である、
請求項３に記載のサービスフォールバック方法。
【請求項５】
前記計算したサービスフォールバック情報に基づき、前記サービスに対するサービスフォールバックを完了する前記ステップは：
前記ユーザによって選択される前記返金方法が前記外貨金額ベースの返金である場合、国際取引業者のアカウントから前記外貨の対象金額を差し引き、前記外貨の対象金額を所定の外貨ファンドプールへ戻し、前記換算された、対応する自国通貨の金額を中間アカウントを用い前記ユーザへ戻すステップ；又は
前記ユーザによって選択される前記返金方法が前記自国通貨金額ベースの返金である場合、国際取引業者のアカウントから、前記換算された、対応する外貨の金額を差し引き、前記換算された、対応する外貨の金額を所定の外貨ファンドプールへ戻し、前記自国通貨の対象金額を中間アカウントを用い前記ユーザへ戻すステップ；を備える、
請求項４に記載のサービスフォールバック方法。
【請求項６】
サービスフォールバック装置であって：
完了したサービスに対するサービスフォールバック要求を受信した際、前記サービスに対応する、記憶されたフォールバック参照情報を読み取るように構成された第１の読み取りモジュールと；
前記フォールバック参照情報に基づき、対応するサービスフォールバック情報を計算するように構成された第１の計算モジュールと；
前記計算したサービスフォールバック情報に基づき、前記サービスに対するサービスフォールバックを完了するように構成された第１のフォールバックモジュールと；を備える、
サービスフォールバック装置。
【請求項７】
前記サービスに対するサービス要求を受信した際、前記サービス要求に含まれる前記フォールバック参照情報を読み取るように構成された第２の読み取りモジュールと；
前記フォールバック参照情報と前記サービスとをローカルに関連付け、前記フォールバック参照情報をローカルに記憶するように構成された第１の記憶モジュールと；を更に備える、
請求項６に記載のサービスフォールバック装置。
【請求項８】
前記サービスは国際取引サービスを備え、前記サービスフォールバックは国際取引返金を備え、前記フォールバック参照情報は国際取引に対する為替レート情報を備え、前記サービスフォールバック情報は前記国際取引返金における返金額を備える、
請求項７に記載のサービスフォールバック装置。
【請求項９】
前記サービスが国際取引サービスである場合、前記サービスフォールバックは国際取引返金であり、前記フォールバック参照情報は前記国際取引に対する前記為替レート情報であり、前記サービスフォールバック情報は前記国際取引返金における前記返金額であり、
前記第１の計算モジュールは、具体的に：
ユーザによって選択される返金方法が外貨金額ベースの返金である場合、前記国際取引に対する前記為替レート情報に基づき外貨の対象金額を対応する自国通貨の金額に換算するように構成され；又は
ユーザによって選択される返金方法が自国通貨金額ベースの返金である場合、前記国際取引に対する前記為替レート情報に基づき自国通貨の対象金額を対応する外貨の金額に換算するように構成され；
前記対象金額は前記国際取引において実際に支払われる金額である、
請求項８に記載のサービスフォールバック装置。
【請求項１０】
前記第１のフォールバックモジュールは、具体的に：
前記ユーザによって選択される前記返金方法が前記外貨金額ベースの返金である場合、国際取引業者のアカウントから前記外貨の対象金額を差し引き、前記外貨の対象金額を所定の外貨ファンドプールへ戻し、前記換算された、対応する自国通貨の金額を中間アカウントを用い前記ユーザへ戻すように構成された；又は
前記ユーザによって選択される前記返金方法が前記自国通貨金額ベースの返金である場合、国際取引業者のアカウントから、前記換算された、対応する外貨の金額を差し引き、前記換算された、対応する外貨の金額を所定の外貨ファンドプールへ戻し、前記自国通貨の対象金額を中間アカウントを用い前記ユーザへ戻すように構成された；
請求項９に記載のサービスフォールバック装置。
【請求項１１】
国際取引返金方法であって：
完了した国際取引サービスに対する返金要求を受信した際、国際取引に対する、記憶された為替レート情報を読み取るステップと；
前記国際取引に対する前記為替レート情報に基づき国際取引返金における返金額を計算するステップと；
前記国際取引返金における前記計算された返金額に基づき前記国際取引サービスに対する返金を完了するステップと；を備える、
国際取引返金方法。
【請求項１２】
前記国際取引サービスに対する決済要求を受信した際、前記国際取引に対する、前記決済要求に含まれる為替レート情報を読み取るステップと；
前記国際取引に対する前記為替レート情報と前記国際取引サービスとをローカルに関連付け、前記為替レート情報をローカルに記憶するステップと；を更に備える、
請求項１１に記載の国際取引返金方法。
【請求項１３】
前記国際取引に対する前記為替レート情報に基づき国際取引返金における返金額を計算する前記ステップは：
ユーザによって選択される返金方法が外貨金額ベースの返金である場合、前記国際取引に対する前記為替レート情報に基づき外貨の対象金額を対応する自国通貨の金額に換算するステップ；又は
ユーザによって選択される返金方法が自国通貨金額ベースの返金である場合、前記国際取引に対する前記為替レート情報に基づき自国通貨の対象金額を対応する外貨の金額に換算するステップ；を備え、
前記対象金額は前記国際取引において実際に支払われる金額である、
請求項１１に記載の国際取引返金方法。
【請求項１４】
前記国際取引返金における前記計算された返金額に基づき前記国際取引サービスに対する返金を完了する前記ステップは：
前記ユーザによって選択される前記返金方法が前記外貨金額ベースの返金である場合、国際取引業者のアカウントから前記外貨の対象金額を差し引き、前記外貨の対象金額を所定の外貨ファンドプールへ戻し、前記換算された、対応する自国通貨の金額を中間アカウントを用い前記ユーザへ戻すステップ；又は
前記ユーザによって選択される前記返金方法が前記自国通貨金額ベースの返金である場合、国際取引業者のアカウントから、前記換算された、対応する外貨の金額を差し引き、前記換算された、対応する外貨の金額を所定の外貨ファンドプールへ戻し、前記自国通貨の対象金額を中間アカウントを用い前記ユーザへ戻すステップ；を備える、
請求項１３に記載の国際取引返金方法。
【請求項１５】
国際取引返金装置であって：
完了した国際取引サービスに対する返金要求が受信された際、国際取引に対する、記憶された為替レート情報を読み取るように構成された第３の読み取りモジュールと；
前記国際取引に対する前記為替レート情報に基づき国際取引返金における返金額を計算するように構成された第２の計算モジュールと；
前記国際取引返金における前記計算された返金額に基づき前記国際取引サービスに対する返金を完了するように構成された第２のフォールバックモジュールと；を備える、
国際取引返金装置。
【請求項１６】
前記国際取引サービスに対する決済要求を受信した際、前記国際取引に対する、前記決済要求に含まれる為替レート情報を読み取るように構成された第４の読み取りモジュールと；
前記国際取引に対する前記為替レート情報と前記国際取引サービスとをローカルに関連付け、前記為替レート情報をローカルに記憶するように構成された第２の記憶モジュールと；を更に備える、
請求項１５に記載の国際取引返金装置。
【請求項１７】
前記第２の計算モジュールは、具体的に：
ユーザによって選択される返金方法が外貨金額ベースの返金である場合、前記国際取引に対する前記為替レート情報に基づき外貨の対象金額を対応する自国通貨の金額に換算するように構成され；又は
ユーザによって選択される返金方法が自国通貨金額ベースの返金である場合、前記国際取引に対する前記為替レート情報に基づき自国通貨の対象金額を対応する外貨の金額に換算するように構成され；
前記対象金額は前記国際取引において実際に支払われる金額である、
請求項１５に記載の国際取引返金装置。
【請求項１８】
前記第２のフォールバックモジュールは、具体的に：
前記ユーザによって選択される前記返金方法が前記外貨金額ベースの返金である場合、国際取引業者のアカウントから前記外貨の対象金額を差し引き、前記外貨の対象金額を所定の外貨ファンドプールへ戻し、前記換算された、対応する自国通貨の金額を中間アカウントを用い前記ユーザへ戻すように構成された；又は
前記ユーザによって選択される前記返金方法が前記自国通貨金額ベースの返金である場合、国際取引業者のアカウントから、前記換算された、対応する外貨の金額を差し引き、前記換算された、対応する外貨の金額を所定の外貨ファンドプールへ戻し、前記自国通貨の対象金額を中間アカウントを用い前記ユーザへ戻すように構成された；
請求項１７に記載の国際取引返金装置。
【発明の詳細な説明】
【技術分野】
【０００１】
本願は、２０１６年１月４日出願の「サービスフォールバック方法及び装置」と題する中国特許出願第２０１６１０００６８２８．７号に対する優先権を主張し、その全体を参照により本明細書に組み込む。
【０００２】
本願はテレコミュニケーションの分野に関し、特に、サービスフォールバック（ロールバック）方法及び装置に関する。
【背景技術】
【０００３】
ユーザが外貨で製品を購入する際に国際取引の後にユーザが返金を望む場合、国際取引業者はユーザに対して外貨で返金するのが普通である。中国人民元（ＲＭＢ）通貨を取得するため、ユーザは電子バンキングのシステムにログインして自ら外貨を両替する必要がある。その操作は比較的手間がかかり、しかも為替レートは変動する。外貨購入や外貨取引といった問題に起因して、ユーザは、返金後に損失が生じるとの懸念を抱く。その結果、外貨での製品購入に対するユーザの意欲が低下する。
【発明の概要】
【０００４】
本願は、完了したサービスに対するサービスフォールバック要求を受信した際、前記サービスに対応する、記憶されたフォールバック参照情報を読み取るステップと；前記フォールバック参照情報に基づき、対応するサービスフォールバック情報を計算するステップと；前記計算したサービスフォールバック情報に基づき、前記サービスに対するサービスフォールバックを完了するステップと；を含むサービスフォールバック方法を開示する。
【０００５】
オプションとして、前記サービスフォールバック方法は、前記サービスに対するサービス要求を受信した際、前記サービス要求に含まれる前記フォールバック参照情報を読み取るステップと；前記フォールバック参照情報と前記サービスとをローカルに関連付け、前記フォールバック参照情報をローカルに記憶するステップと；を更に含む。
【０００６】
オプションとして、前記サービスは国際取引サービスを含み、前記サービスフォールバックは国際取引返金を含み、前記フォールバック参照情報は国際取引に対する為替レート情報を含み、前記サービスフォールバック情報は前記国際取引返金における返金額を含む。
【０００７】
オプションとして、前記サービスが国際取引サービスである場合、前記サービスフォールバックは国際取引返金である。前記フォールバック参照情報は前記国際取引に対する前記為替レート情報であり、前記サービスフォールバック情報は前記国際取引返金における前記返金額である。前記フォールバック参照情報に基づき、対応するサービスフォールバック情報を計算する前記ステップは：ユーザによって選択される返金方法が外貨金額ベースの返金である場合、前記国際取引に対する前記為替レート情報に基づき外貨の対象金額を対応する自国通貨の金額に換算するステップ；又はユーザによって選択される返金方法が自国通貨金額ベースの返金である場合、前記国際取引に対する前記為替レート情報に基づき自国通貨の対象金額を対応する外貨の金額に換算するステップ；を含み、前記対象金額は前記国際取引において実際に支払われる金額である。
【０００８】
オプションとして、前記計算したサービスフォールバック情報に基づき、前記サービスに対するサービスフォールバックを完了する前記ステップは：前記ユーザによって選択される前記返金方法が前記外貨金額ベースの返金である場合、国際取引業者のアカウントから前記外貨の対象金額を差し引き、前記外貨の対象金額を所定の外貨ファンドプールへ戻し、前記換算された、対応する自国通貨の金額を中間アカウントを用い前記ユーザへ戻すステップ；又は前記ユーザによって選択される前記返金方法が前記自国通貨金額ベースの返金である場合、国際取引業者のアカウントから、前記換算された、対応する外貨の金額を差し引き、前記換算された、対応する外貨の金額を所定の外貨ファンドプールへ戻し、前記自国通貨の対象金額を中間アカウントを用い前記ユーザへ戻すステップ；を含む。
【０００９】
本願は、完了したサービスに対するサービスフォールバック要求を受信した際、前記サービスに対応する、記憶されたフォールバック参照情報を読み取るように構成された第１の読み取りモジュールと；前記フォールバック参照情報に基づき、対応するサービスフォールバック情報を計算するように構成された第１の計算モジュールと；前記計算したサービスフォールバック情報に基づき、前記サービスに対するサービスフォールバックを完了するように構成された第１のフォールバックモジュールと；を含むサービスフォールバック装置を開示する。
【００１０】
オプションとして、前記サービスに対するサービス要求を受信した際、前記サービス要求に含まれる前記フォールバック参照情報を読み取るように構成された第２の読み取りモジュールと；前記フォールバック参照情報と前記サービスとをローカルに関連付け、前記フォールバック参照情報をローカルに記憶するように構成された第１の記憶モジュールと；を更に含む。
【００１１】
オプションとして、前記サービスは国際取引サービスを含み、前記サービスフォールバックは国際取引返金を含み、前記フォールバック参照情報は国際取引に対する為替レート情報を含み、前記サービスフォールバック情報は前記国際取引返金における返金額を含む。
【００１２】
オプションとして、前記サービスが国際取引サービスである場合、前記サービスフォールバックは国際取引返金であり、前記フォールバック参照情報は前記国際取引に対する前記為替レート情報であり、前記サービスフォールバック情報は前記国際取引返金における前記返金額である。前記第１の計算モジュールは、具体的に：ユーザによって選択される返金方法が外貨金額ベースの返金である場合、前記国際取引に対する前記為替レート情報に基づき外貨の対象金額を対応する自国通貨の金額に換算するように構成され；又はユーザによって選択される返金方法が自国通貨金額ベースの返金である場合、前記国際取引に対する前記為替レート情報に基づき自国通貨の対象金額を対応する外貨の金額に換算するように構成され；前記対象金額は前記国際取引において実際に支払われる金額である。
【００１３】
オプションとして、前記ユーザによって選択される前記返金方法が前記外貨金額ベースの返金である場合、前記第１のフォールバックモジュールは、具体的に、国際取引業者のアカウントから前記外貨の対象金額を差し引き、前記外貨の対象金額を所定の外貨ファンドプールへ戻すことと、前記換算された、対応する自国通貨の金額を中間アカウントを用い前記ユーザへ戻すこととで構成される。前記ユーザによって選択される前記返金方法が前記自国通貨金額ベースの返金である場合、前記第１のフォールバックモジュールは、具体的に、国際取引業者のアカウントから、前記換算された、対応する外貨の金額を差し引き、前記換算された、対応する外貨の金額を所定の外貨ファンドプールへ戻すことと、前記自国通貨の対象金額を中間アカウントを用い前記ユーザへ戻すこととで構成される。
【００１４】
本願は、完了した国際取引サービスに対する返金要求を受信した際、国際取引に対する、記憶された為替レート情報を読み取るステップと；前記国際取引に対する前記為替レート情報に基づき国際取引返金における返金額を計算するステップと；前記国際取引返金における前記計算された返金額に基づき前記国際取引サービスに対する返金を完了するステップと；を含む国際取引返金方法をさらに開示する。
【００１５】
オプションとして、前記国際取引サービスに対する決済要求を受信した際、前記国際取引に対する、前記決済要求に含まれる為替レート情報を読み取るステップと；前記国際取引に対する前記為替レート情報と前記国際取引サービスとをローカルに関連付け、前記為替レート情報をローカルに記憶するステップと；を更に含む。
【００１６】
オプションとして、前記国際取引に対する前記為替レート情報に基づき国際取引返金における返金額を計算する前記ステップは：ユーザによって選択される返金方法が外貨金額ベースの返金である場合、前記国際取引に対する前記為替レート情報に基づき外貨の対象金額を対応する自国通貨の金額に換算するステップ；又はユーザによって選択される返金方法が自国通貨金額ベースの返金である場合、前記国際取引に対する前記為替レート情報に基づき自国通貨の対象金額を対応する外貨の金額に換算するステップ；を含み、前記対象金額は前記国際取引において実際に支払われる金額である。
【００１７】
オプションとして、前記国際取引返金における前記計算された返金額に基づき前記国際取引サービスに対する返金を完了する前記ステップは：前記ユーザによって選択される前記返金方法が前記外貨金額ベースの返金である場合、国際取引業者のアカウントから前記外貨の対象金額を差し引き、前記外貨の対象金額を所定の外貨ファンドプールへ戻し、前記換算された、対応する自国通貨の金額を中間アカウントを用い前記ユーザへ戻すステップ；又は前記ユーザによって選択される前記返金方法が前記自国通貨金額ベースの返金である場合、国際取引業者のアカウントから、前記換算された、対応する外貨の金額を差し引き、前記換算された、対応する外貨の金額を所定の外貨ファンドプールへ戻し、前記自国通貨の対象金額を中間アカウントを用い前記ユーザへ戻すステップ；を含む。
【００１８】
本願は、完了した国際取引サービスに対する返金要求が受信された際、国際取引に対する、記憶された為替レート情報を読み取るように構成された第３の読み取りモジュールと；前記国際取引に対する前記為替レート情報に基づき国際取引返金における返金額を計算するように構成された第２の計算モジュールと；前記国際取引返金における前記計算された返金額に基づき前記国際取引サービスに対する返金を完了するように構成された第２のフォールバックモジュールと；を含む国際取引返金装置をさらに開示する。
【００１９】
オプションとして、前記国際取引サービスに対する決済要求を受信した際、前記国際取引に対する、前記決済要求に含まれる為替レート情報を読み取るように構成された第４の読み取りモジュールと；前記国際取引に対する前記為替レート情報と前記国際取引サービスとをローカルに関連付け、前記為替レート情報をローカルに記憶するように構成された第２の記憶モジュールと；を更に含む。
【００２０】
オプションとして、前記第２の計算モジュールは、具体的に：ユーザによって選択される返金方法が外貨金額ベースの返金である場合、前記国際取引に対する前記為替レート情報に基づき外貨の対象金額を対応する自国通貨の金額に換算するように構成され；又はユーザによって選択される返金方法が自国通貨金額ベースの返金である場合、前記国際取引に対する前記為替レート情報に基づき自国通貨の対象金額を対応する外貨の金額に換算するように構成され；前記対象金額は前記国際取引において実際に支払われる金額である。
【００２１】
オプションとして、前記ユーザによって選択される前記返金方法が前記外貨金額ベースの返金である場合、前記第２のフォールバックモジュールは、具体的に、国際取引業者のアカウントから前記外貨の対象金額を差し引き、前記外貨の対象金額を所定の外貨ファンドプールへ戻し、前記換算された、対応する自国通貨の金額を中間アカウントを用い前記ユーザへ戻すように構成される。前記ユーザによって選択される前記返金方法が前記自国通貨金額ベースの返金である場合、前記第２のフォールバックモジュールは、具体的に、国際取引業者のアカウントから、前記換算された、対応する外貨の金額を差し引き、前記換算された、対応する外貨の金額を所定の外貨ファンドプールへ戻し、前記自国通貨の対象金額を中間アカウントを用い前記ユーザへ戻すように構成される。
【００２２】
本願において、完了したサービスに対するサービスフォールバック要求が受信されると、そのサービスに対応する、記憶されたフォールバック参照情報が読み取られ、フォールバック参照情報に基づき対応するサービスフォールバック情報が計算され、計算されたサービスフォールバック情報に基づきサービスに対するサービスフォールバックが実行される。よって、高精度のサービスフォールバックが、記憶されたフォールバック参照情報に基づき実行される。
【００２３】
本願における技術解決策を国際取引に適用した場合、完了した国際取引サービスに対する返金要求が受信されると、国際取引に対する、記憶された為替レート情報が読み取られる。国際取引返金における返金額は、国際取引に対する為替レート情報に基づき計算される。国際取引サービスに対する返金は、国際取引返金における計算された返金額に基づき完了する。よって、国際取引に対する返金は、国際取引に対する、記憶された為替レート情報に基づき実行される。これにより、為替レートの変動により返金手続きにおいてユーザに対し生じる損失を防止できる。
【図面の簡単な説明】
【００２４】
【図１】図１は、本願の実施の形態に係るサービスフォールバック方法を例示するフローチャートである。
【００２５】
【図２】図２は、本願の実施に係る国際取引返金方法を例示するフローチャートである。
【００２６】
【図３】図３は、本願の実施に係る国際取引における決済取引を例示するフローチャートである。
【００２７】
【図４】図４は、本願の実施に係る国際取引における返金取引を例示するフローチャートである。
【００２８】
【図５】図５は、本願の実施に係るサービスフォールバック装置を例示する論理ブロック図である。
【００２９】
【図６】図６は、本願の実施に係るサービスフォールバック装置を含む、サービス提供エンドポイントのハードウェアを例示する構造図である。
【００３０】
【図７】図７は、本願の実施に係る国際取引返金装置を例示する論理ブロック図である。
【００３１】
【図８】図８は、本願の実施に係る国際取引返金装置を含むサービス提供エンドポイントのハードウェアの構造図である。
【発明を実施するための形態】
【００３２】
具体的な実施を用い、具体的な適用のシナリオを参照しつつ、本願について以下説明する。
【００３３】
図１を参照すると、図１は、サービス提供エンドポイントに適用される、本願の実施に係るサービスフォールバック方法を示す。この方法は以下の各ステップを含む。
【００３４】
ステップ１０１：完了したサービスに対するサービスフォールバック要求を受信すると、サービスに対応する、記憶されたフォールバック参照情報を読み取る。
【００３５】
ステップ１０２：フォールバック参照情報に基づき、対応するサービスフォールバック情報を計算する。
【００３６】
ステップ１０３：計算したサービスフォールバック情報に基づき、サービスに対するサービスフォールバックを完了する。
【００３７】
サービス提供エンドポイントは、ユーザのサービスクライアントに対してサービス提供エンドポイントを提供するサーバ、サーバクラスタ、又はサーバクラスタに基づき確立されるサービスプラットフォームを含んでよい。クライアントは、ユーザに対してサービスを提供するクライアントソフトウェアを含んでよい。ユーザは、クライアントによって提供されるサービスインターフェース上で所定の操作を行い、サービス要求をサービス提供エンドポイントへ、クライアントが送信するようにしてもよい。
【００３８】
例えば、サービスが国際取引サービスである場合、クライアントはユーザに対して国際取引サービスを提供するアリペイ（Ａｌｉｐａｙ）・クライアントであってよく、サービスインターフェースはアリペイ・クライアントによって提供される決済インターフェースであってよく、サービス提供エンドポイントはユーザのアリペイ・クライアントに対してサービスを提供するアリペイ・プラットフォームであってよく、サービスピアエンドポイントは国際電子商取引プラットフォームであってよい。
【００３９】
外貨で製品を購入する際、ユーザは、アリペイ・クライアントによって提供される決済インターフェース上で所定の操作を行い、決済要求をアリペイ・プラットフォームへアリペイ・クライアントが送信するようにしてもよい。所定の操作は、概して、ユーザによる、購入した外国の製品の決済オーダーを確認する操作を含んでよい。例えば、決済を確認する確認ボタンを決済インターフェースに設けてよい。ユーザは、注文について金額及び製品を確認した後、確認ボタンを押下して、決済要求をアリペイ・プラットフォームへ、アリペイ・クライアントが送信するようにしてもよい。
【００４０】
この例において、サービス要求をサービス提供エンドポイントへ送信する際、クライアントは、サービス要求にフォールバック参照情報を付加してよい。サービスが行われた後、ユーザがクライアントを用いて、サービスに対するサービスフォールバック要求をサービス提供エンドポイントへ再送する際、サービス提供エンドポイントは、フォールバック参照情報に基づき、完了したサービスに対してサービスフォールバックの操作を行ってよい。
【００４１】
フォールバック参照情報は、クライアントがサービスピアエンドポイントにクエリを行った後に取得されてよい。サービス要求をサービス提供エンドポイントへ送信する前に、クライアントは、フォールバック参照情報をクエリする（問い合わせる）ために用いられるクエリ要求を、サービスピアエンドポイントへ送信してよい。クエリ要求を受信した後、サービスピアエンドポイントはフォールバック参照情報をクライアントへ戻してよい。サービスピアエンドポイントにより返信されたフォールバック参照情報を受信した後、クライアントはユーザに、フォールバック参照情報をサービスインターフェース上で提示してよい。
【００４２】
また、フォールバック参照情報は、サービスピアエンドポイントにより独立して設定されてもよいし、クライアントとサービスピアエンドポイントとの間のメッセージ交換を通じた交渉の後に取得されてもよいことに留意すべきである。
【００４３】
例えば、サービスが国際取引サービスである場合、フォールバック参照情報は、国際取引に対する為替レート情報であってよい。アリペイ・プラットフォームへの決済要求を開始する前に、アリペイ・クライアントは、取引為替レートのクエリ要求を国際電子商取引プラットフォームへ送信してよい。クエリ要求を受信した後、国際電子商取引プラットフォームは、現在の為替レートを直接取得し、取得した現在の為替レートを取引為替レートとして設定し、取引為替レートをアリペイ・クライアントへ戻してよい。代わりに、アリペイ・クライアントがアリペイ・プラットフォームへの決済要求を開始する前に、ユーザは、アリペイ・クライアントにより提供されるインスタントチャットツールを用い遠隔の国際取引業者と交渉して取引為替レートを決定してもよい。交渉が完了した後、国際電子商取引プラットフォームは交渉結果に基づき取引為替レートを設定し、取引為替レートをアリペイ・クライアントへ戻してよい。取引為替レートを受信した後、アリペイ・クライアントはユーザに、取引為替レートを決済インターフェース上で提示し、取引為替レートに基づき決済するようユーザに指示してよい。
【００４４】
本例において、サービス提供エンドポイントは、クライアントから送信されたサービス要求を受信した後、サービス要求に含まれるフォ−ルバック参照情報を読み取り、フォールバック参照情報とサービス要求に対応するサービスとをローカルに関連付け、フォールバック参照情報をローカルに記憶してよく、これにより、サービスに対する後続のサービスフォールバックにおけるフォールバック参照情報のクエリをサポートする。
【００４５】
サービス要求に含まれるフォールバック参照情報をローカルに記憶した後、サービス提供エンドポイントは、受信したサービス要求に基づき対応するサービスピアエンドポイントとインタラクションを行い、サービスを完了してよい。
【００４６】
例えば、サービスが国際取引サービスである場合、アリペイ・プラットフォームは、アリペイ・クライアントが開始した国際取引決済要求を受信した後、決済要求に含まれる決済金額に基づき外貨購入及び外貨取引を行い、取引情報を国際電子商取引プラットフォームへ送信し、決済取引を完了してよい。
【００４７】
本例において、サービスが行われた後、ユーザは更に、サービス提供エンドポイントに対して、クライアントを用い、完了したサービスに対するサービスフォールバックを起すことができる。ユーザは、完了したサービスに対してサービスフォールバックを行う必要がある際、クライアントによって提供されるサービスインターフェース上で所定の操作を行い、完了したサービスに対するサービスフォールバック要求をサービス提供エンドポイントへ、クライアントが送信するようにしてよい。
【００４８】
クライアントにより送信されたサービスフォールバック要求を受信した後、サービス提供エンドポイントは、サービスに関連付けられた、記憶されたサービスフォールバックパラメータを読み取り、その上で、サービスフォールバックパラメータに基づき対応するサービスフォールバック情報を計算することができる。サービスフォールバック情報は、サービスに対するサービスフォールバックを正常に完了するために必要な情報やパラメータを含む。サービスフォールバックパラメータに基づき対応するサービスフォールバック情報を計算した後、サービス提供エンドポイントは、計算したサービスフォールバック情報に基づき、完了したサービスに対しサービスフォールバック操作を完了することができる。
【００４９】
例えば、サービスが国際取引サービスである場合、サービスフォールバックは国際取引返金を含んでよく、サービスフォールバック情報は国際取引返金における返金額を含んでよい。ユーザは、外貨での製品購入に成功した後、製品が気に入らず返金を要求したい場合、アリペイ・クライアントにより提供される決済インターフェース上で所定の操作を行い、返金要求をアリペイ・プラットフォームへアリペイ・クライアントが送信するようにする。一般的に、所定の操作は、ユーザによる完了した注文に対する返金を確認する操作を含むことができる。例えば、返金を確認する確認ボタンを返金インターフェースに設けてもよく、ユーザは、注文における返金額を確認した後、確認ボタンを押下して、返金要求をアリペイ・プラットフォームへアリペイ・クライアントが送信するようにしてもよい。返金要求を受信した後、アリペイ・プラットフォームは、国際取引に対する完了した注文に関連付けられ、記憶された取引為替レートを読み取り、その上で、取引為替レートに基づき実際の返金額を計算することができる。取引為替レートに基づき実際の返金額を計算した後、サービス提供エンドポイントは、計算した返金額に基づき、完了した注文に対する国際返金取引を完了する。
【００５０】
このように、サービスが開始される際、サービス要求にはサービスフォールバックに対して用いられるフォールバック参照情報が含まれてよく、サービス提供エンドポイントはフォールバック参照情報を記憶してよいことが分かる。サービスが完了した後、完了したサービスに対しユーザがフォールバックを開始する際、サービス提供エンドポイントは記憶されたフォールバック参照情報を読み取り、完了したサービスに対するサービスフォールバックを完了する。これにより、記憶されたフォールバック参照情報に基づき、サービスフォールバックが精度よく完了される。
【００５１】
本願の技術解決策を以下に説明するが、ここで、国際取引に関し、サービスは国際取引サービスであり、クライアントはアリペイ・クライアントであり、サービス提供エンドポイントはアリペイ・プラットフォームである。
【００５２】
図２を参照すると、図２は、本願の実施に係る国際取引の国際取引返金方法を示す。この方法はサービス提供エンドポイントによって行われてよく、以下の各ステップを含む。
【００５３】
ステップ２０１：完了した国際取引サービスに対する返金要求を受信した際、国際取引に対する、記憶された為替レート情報を読み取る。
【００５４】
ステップ２０２：国際取引に対する為替レート情報に基づき国際取引返金における返金額を計算する。
【００５５】
ステップ２０３：国際取引返金における計算された返金額に基づき国際取引サービスに対する返金を完了する。
【００５６】
クライアントはユーザに対して国際取引サービスを提供するアリペイ・クライアントであってよく、サービスインターフェースはアリペイ・クライアントによって提供される決済インターフェースであってよく、サービス提供エンドポイントはユーザのアリペイ・クライアントに対してサービスを提供するアリペイ・プラットフォームであってよく、サービスピアエンドポイントは国際電子商取引プラットフォーム（例えば、アマゾンの電子商取引プラットフォーム）であってよい。
【００５７】
図３を参照すると、図３はこの実施に係る国際決済取引を例示するフローチャートである。
【００５８】
図３を参照すると、外貨で製品を購入する際、ユーザは国際電子商取引プラットフォーム上で、選択した製品を外貨で注文できる。ユーザが注文した後、電子商取引プラットフォームはユーザの本人確認を行って、当該操作が当該ユーザによって行われることを確保できる。例えば、電子商取引プラットフォームは、ユーザが控える携帯電話番号に基づく照合コードを送信するようにしてもしてよい。ユーザがユーザインターフェース上で照合コードを正常に入力すると、本人確認が成功する。ユーザの本人確認の成功後、ユーザは決済取引を電子商取引プラットフォームに要求できる。
【００５９】
国際電子商取引プラットフォームのユーザインターフェースでは、アリペイ・プラットフォームを含む決済プラットフォームを事前に設けて、これを電子商取引プラットフォームと協働するようにしてもよい。ユーザは、決済取引を申請する際に、アリペイを選択してユーザインターフェース上で決済取引を行うことができる。
【００６０】
ユーザがアリペイを選択して決済取引を行なう際、国際電子商取引プラットフォームは、現在のユーザインターフェースからアリペイ・クライアントの決済インターフェースへジャンプしてよい。決済インターフェース上では、ユーザによる確認のために、現在の決済取引に関する注文情報、製品情報、取引金額等の情報がユーザに提示される。
【００６１】
引き続き図３を参照すると、国際電子商取引プラットフォームがアリペイ・クライアントの決済インターフェースへジャンプした後、アリペイ・クライアントは更に、バックグラウンドにおいて、国際電子商取引プラットフォームに対し取引為替レートのクエリを開始できる。例えば、アリペイ・クライアントは、バックグラウンドにおいて、電子商取引プラットフォームへ取引為替レートのクエリ要求を送信する。電子商取引プラットフォームは、クエリ要求を受信した後、対応する取引為替レートをアリペイ・クライアントへ戻す。
【００６２】
取引為替レートは、国際電子商取引プラットフォームにより独立して設定されてもよいし、ユーザと遠隔の国際取引業者との間のメッセージ交換を通じた交渉の後に取得されてもよい。
【００６３】
例えば、図示の実施において、取引為替レートのクエリ要求を受信した後、国際電子商取引プラットフォームは、現在の為替レートを直接取得し、取得した為替レートを取引為替レートとして設定し、取引為替レートをアリペイ・クライアントへ戻すことができる。図示する別の実施において、ユーザは、アリペイ・クライアント又は国際電子商取引プラットフォームにより提供されるインスタントチャットツールを用いて遠隔の国際取引業者と交渉し、取引為替レートを決定することができる。交渉が完了した後、国際電子商取引プラットフォームは交渉結果に基づき取引為替レートを設定し、取引為替レートをアリペイ・クライアントへ戻す。
【００６４】
引き続き図３を参照すると、国際電子商取引プラットフォームから戻された取引為替レートを受信した後、アリペイ・クライアントはユーザに、取引為替レートを決済インターフェース上で提示し、取引為替レートに基づき決済を完了するようユーザに指示することができる。
【００６５】
また、決済を確認する確認ボタンを、決済インターフェース上に予め設けておくとよい。注文について金額及び製品を確認した後、ユーザは、確認ボタンを押下し、決済要求をアリペイ・プラットフォームへアリペイ・クライアントが送信するようにする。
【００６６】
アリペイ・プラットフォームへ決済要求を送信する際、アリペイ・クライアントは、取得した取引為替レートを決済要求に付加できる。例えば、アリペイ・クライアントは、取引為替レートを、特定のフォーマットにして決済要求の拡張されたフィールドに含め、この決済要求をアリペイ・プラットフォームへ送信することができる。注文に対する決済が完了した後、ユーザがアリペイ・クライアントを用いて再度アリペイ・プラットフォームを開始し、注文に対して返金を要求した場合、アリペイ・プラットフォームは、対応する返金操作を取引為替レートに基づき行うことができる。
【００６７】
引き続き図３を参照すると、図示の実施において、アリペイ・プラットフォームは、ｐａｙｃｏｒｅ（決済コア）サブシステムとｔｒａｄｅｃｏｒｅ（取引コア）サブシステムとに分割できる。ｐａｙｃｏｒｅサブシステムは、ユーザに対して注文を処理し、アリペイ・クライアントにより送信される決済要求を受信し、受信した決済要求をｔｒａｄｅｃｏｒｅサブシステムへ透過的に（すなわちユーザに意識させることなく）伝送するように構成される。ｔｒａｄｅｃｏｒｅサブシステムは、ｐａｙｃｏｒｅサブシステムにより透過的に伝送された決済要求に基づき国際電子商取引プラットフォームとインタラクションを行い、決済取引を完了し、ユーザが返金を申請する際には返金取引を完了するように構成される。
【００６８】
当然のことながら、実際の適用にあたって、アリペイ・プラットフォームは、実際のサービスの要求に基づき、ｐａｙｃｏｒｅサブシステム及びｔｒａｄｅｃｏｒｅサブシステムに加え他のタイプのサブシステムに分割されてもよい。これは本願において限定されない。
【００６９】
引き続き図３を参照すると、アリペイ・クライアントにより送信された決済要求を受信すると、ｐａｙｃｏｒｅサブシステムは決済要求をｔｒａｄｅｃｏｒｅサブシステムへ透過的に伝送してよい。決済要求を受信した後、ｔｒａｄｅｃｏｒｅサブシステムは、決済要求に含まれる取引為替レートを読み取り、取引為替レートと決済要求に対応する注文とをローカルに関連付け、その上で取引為替レートをローカルに記憶してよく、これにより、注文に対する後続の国際取引返金における取引為替レートのクエリをサポートする。
【００７０】
決済要求に含まれる取引為替レートをローカルに記憶した後、ｔｒａｄｅｃｏｒｅサブシステムは受信した決済要求に基づき決済取引をローカルに完了することがきる。例えば、ｔｒａｄｅｃｏｒｅサブシステムは、ユーザのＲＭＢアカウントから、決済要求における決済取引金額を差し引くことができる。決済取引がローカルに完了すると、注文取引は成功する。
【００７１】
図３を参照すると、注文取引の成功後、アリペイ・クライアントは、クエリメッセージをｐａｙｃｏｒｅサブシステムへ送信し、注文の現在の取引状況をクエリできる。注文取引の成功により、ｐａｙｃｏｒｅサブシステムは、ｔｒａｄｅｃｏｒｅサブシステムから注文取引の成功を知った後、アリペイ・クライアントへ決済成功通知を戻すことができる。通知を受信した後、アリペイ・クライアントは電子商取引プラットフォームを用い取引業者へは決済成功通知を、ユーザへは購入成功通知を送信できる。
【００７２】
引き続き図３を参照すると、注文取引の成功後、ｔｒａｄｅｃｏｒｅサブシステムは更に国際電子商取引プラットフォームへ取引成功メッセージを送信し、外貨換算及び外貨購入の各操作を行い、取引に成功した金額を対応する外貨の金額へ換算し、外貨の金額を遠隔の国際取引業者へ送金してよい。送金の完了後、現在の決済取引が完了する。
【００７３】
図４を参照すると、図４は、本実施に係る国際返金取引を例示するフローチャートである。
【００７４】
図４を参照すると、ユーザは、外貨製品の購入に成功した後、製品が気に入らず返金を要求したい場合、ユーザはアリペイ・クライアントを用いアリペイ・プラットフォームに対し返金を開始できる。
【００７５】
アリペイ・クライアント又は電子商取引プラットフォームは、ユーザに対し返金インターフェースを提供することができる。ユーザは、返金インターフェース上で、現在の返金の金額及び製品情報を提示できる。また、返金インターフェース上に、返金を確認する確認ボタンを設けてもよい。ユーザは、注文の返金額を確認した後、確認ボタンを押下し、返金要求をアリペイ・プラットフォームへアリペイ・クライアントが送信するようにしてもよい。
【００７６】
引き続き図４を参照すると、アリペイ・プラットフォームは、返金要求を受信した後、引き続き、ユーザの本人確認を行って、当該操作が当該ユーザによって行われているか否かを判定する。ユーザの本人確認に成功した後、アリペイ・プラットフォームは、決済取引に対する完了した注文に関連付けられた、記憶された取引為替レートを読み取り、その上で、取引為替レートに基づき実際の返金額を計算する。
【００７７】
返金を開始する際、ユーザは返金方法を選択することができる。実施において、ユーザが選択することができる各返金方法は、返金インターフェース上に提供される。図示の実施において、返金インターフェース上に提供される返金方法は、外貨金額ベースの返金及びＲＭＢ金額ベースの返金を含むことができる（本例では、ＲＭＢは自国通貨である）。返金を開始する際、ユーザは返金インターフェース上で好ましい返金方法を選択できる。
【００７８】
一方において、ユーザが返金インターフェース上で外貨金額ベースの返金を選択する場合、アリペイ・プラットフォームは、遠隔の国際取引業者のアカウントから外貨の対象金額を直接差し引き、外貨を所定の外貨ファンドプールへ戻すことができる。対象金額は、ユーザが注文に対し決済取引を行う際、実際に支払われる金額である。例えば、ユーザが、価格が１ドルである製品の決済取引を行う際、６．３ＲＭＢをユーザが支払うのであれば、ユーザが支払う外貨の対象金額は１ドルであり、ユーザが支払うＲＭＢの対象金額は６．３ＲＭＢである。
【００７９】
外貨の対象金額が遠隔の国際取引業者のアカウントから差し引かれ所定の外貨ファンドプールへ戻されると、遠隔の国際取引業者に対する返金手続きは完了する。これらの手続きはその全体が現在の為替レートと無関係であるので、取引業者にとって損失が生じることはない。
【００８０】
遠隔の国際取引業者に対する返金手続きが完了した後、アリペイ・プラットフォームは、注文に関連付けられた、記憶された取引為替レートを読み取り、取引為替レートに基づき対象金額の外貨を、対応するＲＭＢの金額に換算し、換算したＲＭＢを中間アカウントを介してユーザのアカウントへ戻してもよい。換算したＲＭＢを、ユーザのアカウントへ正常に戻した後、ユーザに対する返金手続きが完了する。手続きは、その全体が現在の為替レートと無関係であるので、ユーザにとって損失が生じることはない。
【００８１】
他方において、ユーザが返金インターフェース上でＲＭＢ金額ベースの返金を選択する場合、アリペイ・プラットフォームは、注文に関連付けられた、記憶された取引為替レートを読み取り、取引為替レートに基づきＲＭＢの対象金額を対応する外貨の金額に換算し、その上で、アリペイ・プラットフォームは、換算された、対応する外貨の金額を、遠隔の国際取引業者のアカウントから差し引き、所定の外貨ファンドプールへ戻すことができる。これにより、遠隔の国際取引業者に対する返金手続きが完了する。これらの手続きはその全体が現在の為替レートと無関係であるため、貿易業者にとって損失が生じることはない。
【００８２】
遠隔の国際取引業者に対する返金手続きが完了したら、アリペイ・プラットフォームは、中間アカウントを用いＲＭＢの対象金額をユーザのアカウントへ戻すことができる。この場合、ＲＭＢの対象金額は、注文に対しユーザが決済取引を行う際に実際に支払われるＲＭＢの金額である。ＲＭＢの対象金額を、ユーザのアカウントへ正常に戻した後、ユーザに対する返金手続きが完了する。これらの手続きはその全体が現在の為替レートと無関係であるため、ユーザにとって損失が生じることはない。
【００８３】
以上により、一連の返金手続きは終了する。返金手続き全体において、返金は、ユーザが決済取引を行うために用いる取引為替レートに基づいてなされ、現在の為替レートとは無関係である。したがって、取引業者にもユーザにも損失が生じることはない。また、返金手続き全体において、国際取引業者に対する返金手続きは外貨ファンドプールを用いて完了し、ユーザに対する返金払戻手続きは中間アカウントを用いて完了し、外貨ファンドプールと中間アカウントとは互いに独立している。したがって、アリペイ・プラットフォームにとって損失が生じることはなく、ユーザは外貨換算及び外貨購入の手間のかかる操作を行う必要がないため、ユーザエクスペリエンスは向上する。
【００８４】
このように、ユーザは、外国の製品に対して返金を行う際、外貨購入及び外貨換算の操作を行う必要がなく、為替レートの変動により生じる損失を心配する必要もないことが分かる。したがって、ユーザに対し、為替レートの換算の問題は解決し、ファンドの損失は生じず、ユーザの外国製品購入意欲が高まる。
【００８５】
上記の実施において、完了したサービスに対するサービスフォールバック要求が受信された際、サービスに対応する、記憶されたフォールバック参照情報が読み取られ、フォールバック参照情報に基づき、対応するサービスフォールバック情報が計算され、計算されたサービスフォールバック情報に基づきサービスに対するサービスフォールバックが実行される。よって、高精度のサービスフォールバックが、記憶されたフォールバック参照情報に基づき実行される。
【００８６】
上記の実施の形態における技術解決策が国際取引に適用される場合、完了した国際取引サービスに対し返金要求が受信されると、国際取引に対する、記憶された為替レート情報が読み取られ、国際取引に対する為替レート情報に基づき国際取引返金における返金額が計算され、国際取引返金における計算された返金額に基づき国際取引サービスに対する返金を完了する。よって、国際取引に対する返金は、国際取引に対する、記憶された為替レート情報に基づき実行される。これにより、為替レートの変動により返金手続きにおいてユーザに対し生じる損失を防止できる。
【００８７】
上記方法の実施に対応して、本願は更に装置の実施を提供する。
【００８８】
図５を参照すると、本願は、サービス提供エンドポイントに適用されるサービスフォールバック装置５０を開示する。図６を参照すると、サービスフォールバック装置５０を含むサービス提供エンドポイントのハードウェア構成は、一般に、プロセッサ（ＣＰＵ）、メモリ、不揮発性メモリ、ネットワークインターフェース、内部バス等を含む。サービスフォールバック装置５０がソフトウェアにより実現される例において、サービスフォールバック装置５０は、メモリにロードされるコンピュータプログラムとして一般に理解され、ＣＰＵを用いた実行の後、論理ソフトウェアとハードウェアとの組み合わせ装置を形成する。装置５０は、完了したサービスに対するサービスフォールバック要求が受信された際、サービスに対応する、記憶されたフォールバック参照情報を読み取るように構成された第１の読み取りモジュール５０１と、フォールバック参照情報に基づき対応するサービスフォールバック情報を計算するように構成された第１の計算モジュール５０２と、計算されたサービスフォールバック情報に基づき、サービスに対するサービスフォールバックを完了するように構成された第１のフォールバックモジュール５０３とを含む。
【００８９】
本実施例において、装置５０は、サービスに対するサービス要求が受信された際、サービス要求に含まれるフォールバック参照情報を読み取るように構成された第２の読み取りモジュール５０４と、フォールバック参照情報とサービスとをローカルに関連付け、フォールバック参照情報をローカルに記憶するように構成された第１の記憶モジュール５０５とを更に含むことができる。
【００９０】
本実施例において、サービスは国際取引サービスを含んでよく、サービスフォールバックは国際取引返金を含んでよく、フォールバック参照情報は国際取引に対する為替レート情報を含んでよく、サービスフォールバック情報は国際取引返金における返金額を含んでよい。
【００９１】
本実施例において、サービスが国際取引サービスである場合、サービスフォールバックは国際取引返金であり、フォールバック参照情報は国際取引に対する為替レート情報であり、サービスフォールバック情報は国際取引返金における返金額であり、第１の計算モジュール５０２は、ユーザによって選択される返金方法が外貨金額ベースの返金である場合、国際取引に対する為替レート情報に基づき外貨の対象金額を対応する自国通貨の金額に換算するよう、具体的に構成される。あるいは、ユーザによって選択される返金方法が自国通貨金額ベースの返金である場合、国際取引に対する為替レート情報に基づき自国通貨の対象金額を対応する外貨の金額に換算するように構成される。
【００９２】
対象金額は、国際取引において実際に支払われる金額である。
【００９３】
本実施例において、サービスが国際取引サービスである場合、サービスフォールバックは国際取引返金であり、フォールバック参照情報は国際取引に対する為替レート情報であり、サービスフォールバック情報は国際取引返金における返金額である。ユーザによって選択される返金方法が外貨金額ベースの返金である場合、第１のフォールバックモジュール５０３は、国際取引業者のアカウントから外貨の対象金額を差し引き、外貨の対象金額を所定の外貨ファンドプールへ戻し、換算された対応する自国通貨の金額を、中間アカウントを用いユーザへ戻すよう、具体的に構成される。ユーザによって選択される返金方法が自国通貨金額ベースの返金である場合、第１のフォールバックモジュール５０３は、国際取引業者のアカウントから、換算された、対応する外貨の金額を差し引き、換算された対応する外貨の金額を、所定の外貨ファンドプールへ戻し、自国通貨の対象金額を中間アカウントを用いユーザへ戻すように構成される。
【００９４】
図７を参照すると、本願は、サービス提供エンドポイントに適用される国際取引返金装置７０を開示する。図８を参照すると、サービスフォールバック装置７０を含むサービス提供エンドポイントのハードウェア構成は、概して、ＣＰＵ、メモリ、不揮発性メモリ、ネットワークインターフェース、内部バス等を含む。国際取引返金装置７０がソフトウェアにより実現される例において、サービスフォールバック装置７０は、メモリにロードされるコンピュータプログラムとして一般に理解されてよく、ＣＰＵを用いた走行の後、論理ソフトウェア及びハードウェアが組み合わされた装置を形成する。装置７０は、完了した国際取引サービスに対する返金要求が受信された際、国際取引に対する、記憶された為替レート情報を読み取るように構成された第３の読み取りモジュール７０１と、国際取引に対する為替レート情報に基づき国際取引返金における返金額を計算するように構成された第２の計算モジュール７０２と、国際取引返金における計算された返金額に基づき国際取引サービスに対する返金を完了するように構成された第２のフォールバックモジュール７０３とを含む。
【００９５】
本実施例において、装置７０は、国際取引サービスに対する決済要求が受信された際、国際取引に対する、決済要求に含まれる為替レート情報を読み取るように構成された第４の読み取りモジュール７０４と、国際取引に対する為替レート情報と国際取引サービスとをローカルに関連付け、為替レート情報をローカルに記憶するように構成された第２の記憶モジュール７０５とを更に含むことができる。
【００９６】
本実施例において、第２の計算モジュール７０２は、ユーザによって選択される返金方法が外貨金額ベースの返金である場合、国際取引に対する為替レート情報に基づき外貨の対象金額を対応する自国通貨の金額に換算する、又は、ユーザによって選択される返金方法が自国通貨金額ベースの返金である場合、国際取引に対する為替レート情報に基づき自国通貨の対象金額を対応する外貨の金額に換算するように具体的に構成される。
【００９７】
対象金額は、国際取引において実際に支払われる金額である。
【００９８】
本実施例において、ユーザによって選択される返金方法が外貨金額ベースの返金である場合、第２のフォールバックモジュール７０３は、国際取引業者のアカウントから外貨の対象金額を差し引き、外貨の対象金額を所定の外貨ファンドプールへ戻し、換算された、対応する自国通貨の金額を中間アカウントを用いユーザへ戻すように具体的に構成される。ユーザによって選択される返金方法が自国通貨金額ベースの返金である場合、第２のフォールバックモジュール７０３は、国際取引業者のアカウントから、換算された、対応する外貨の金額を差し引き、換算された対応する外貨の金額を、所定の外貨ファンドプールへ戻し、自国通貨の対象金額を中間アカウントを用いユーザへ戻すように構成される。
【００９９】
当業者であれば、本明細書を考慮し本開示を実施した後、本開示の他の実施の形態の解決策を容易に見出すことができるであろう。本願は、本願の任意の変形、機能（用途）及び適応のための変更を包含する。これらの変形、機能及び適応のための変更は本願の一般原理と合致し、本願には開示されない、当該技術分野における常識や慣用される技術手段を包含するものである。明細書及び各実施は単なる例であるとみなされ、本願の実際の範囲及び主旨は付帯する特許請求の範囲により示される。
【０１００】
本願は、先に説明し添付の図面に示した正確な構造に限定されるものではなく、本開示の範囲から逸脱することなく変形や変更がなされてよいことは言うまでもない。本願の範囲は、付帯する特許請求の範囲によってのみ限定される。
【０１０１】
上記の説明は、本願の実施の例に過ぎず、本願をそれに限定することを意図するものではない。本願の主旨及び原理から逸脱せずになされる任意の変形、均等物との代替、改良は、本願の保護の範囲に包含される。
【符号の説明】
【０１０２】
５０  サービスフォールバック装置
５０１  第１の読み取りモジュール
５０２  第１の計算モジュール
５０３  第１のフォールバックモジュール
５０４  第２の読み取りモジュール
５０５  第１の記憶モジュール
７０  サービスフォールバック装置（国際取引返金装置）
７０１  第３の読み取りモジュール
７０２  第２の計算モジュール
７０３  第２のフォールバックモジュール
７０４  第４の読み取りモジュール
７０５  第２の記憶モジュール
【図１】
2019501471.tif 000003
【図２】
2019501471.tif 000004
【図３】
2019501471.tif 000005
【図４】
2019501471.tif 000006
【図５】
2019501471.tif 000007
【図６】
2019501471.tif 000008
【図７】
2019501471.tif 000009
【図８】
2019501471.tif 000010
【国際調査報告】
2019501471.tif 000011
2019501471.tif 000012
2019501471.tif 000013
2019501471.tif 000014